(57)【要約】【課題】制御基板を複数の遊技機で用いる。【解決手段】主制御基板４２に表示された既存の管理情報１００の中で、主制御基板４２の設置対象のパチンコ機に適合しない不適合情報を、レーザーにより削除すると共に、不適合情報に対応した設置対象のパチンコ機に適合する適合情報を、レーザーにより表側基板面４３に付与する。これにより、設置対象のパチンコ機に適合した管理情報１００を、主制御基板４２の表側基板面４３に表示するようにした。【選択図】図８
2014068823.tif 000002
【特許請求の範囲】
【請求項１】
遊技機の製造者または販売者に関する情報を少なくとも含む管理情報が基板面に表示された制御基板を、複数の遊技機で共用可能にする管理方法であって、
既存の管理情報の中で、制御基板の設置対象の遊技機に適合しない不適合情報を、レーザーにより削除すると共に、不適合情報に対応した前記設置対象の遊技機に適合する適合情報を、レーザーにより前記基板面に付与し、
前記設置対象の遊技機に適合した管理情報を、前記基板面に表示するようにした
ことを特徴とする遊技機用の制御基板の管理方法。
【請求項２】
削除する不適合情報に隣接して、対応した適合情報を付与するようにした請求項１記載の遊技機用の制御基板の管理方法。
【請求項３】
前記制御基板に対して最初に形成される管理情報を、レーザー以外で付与した請求項１または２記載の遊技機用の制御基板の管理方法。
【請求項４】
遊技機に設置される遊技機用の制御基板であって、
遊技機の製造者または販売者に関する情報を少なくとも含む管理情報が表示された第１表示部と、該第１表示部に表示された管理情報と同種の管理情報をレーザー印刷で表示可能な第２表示部とを基板面に有し、
前記第１表示部に表示された管理情報から設置対象の遊技機に適合しない不適合情報がレーザー印刷で削除されると共に、削除した不適合情報に対応した設置対象の遊技機に適合する適合情報がレーザー印刷で前記第２表示部に表示されるよう構成した
ことを特徴とする遊技機用の制御基板。
【請求項５】
前記第２表示部は、前記第１表示部に隣接して設けられた請求項４記載の遊技機用の制御基板。
【請求項６】
前記表示部は、制御基板を基板ケースに収納して遊技機に設置した状態で、前記基板面を覆う該基板ケースを介して該表示部に表示された管理情報が外方から視認可能な位置に設けられた請求項４または５記載の遊技機用の制御基板。
【請求項７】
前記基板面には、該基板面に実装された電子部品に隣接して、該電子部品に対応する部品情報が表示され、
前記管理情報は、前記部品情報と異なる色で表示される請求項４〜６の何れか一項に記載の遊技機用の制御基板。
【発明の詳細な説明】
【技術分野】
【０００１】
この発明は、制御基板の管理情報を設置対象に合わせる遊技機用の制御基板の管理方法およびこれに対応した遊技機用の制御基板に関するものである。
【背景技術】
【０００２】
パチンコ機やスロットマシンなどの遊技機には、ＣＰＵ、ＲＯＭやＲＡＭ等の電子部品が実装された各種の制御基板を備え、この制御基板によって遊技演出や球等の遊技媒体の払い出しなどの各種動作が制御されている。このため制御基板は、電子部品を不正品に取り替えたり、該制御基板に接続された配線を取り外して不正な制御回路に接続するなど、不正の利益を得る目的で不正な改造(不正行為)の対象とされる。そこで、主制御基板、払出制御基板、発射制御基板および電源基板などの不正行為の対象とされ易い制御基板には、遊技機の製造者名や所定の管理記号などの管理情報を刻印することが規則に定められ、この管理情報によって正規品か否かを確認し得るようになっている。
【０００３】
ここで、遊技機の機種に応じて制御基板に実装される電子部品が異なれば、制御基板に刻印される管理記号などの管理情報の内容が変わることから、遊技機の機種などに合わせて複数種類の制御基板を用意しなければならない。また、同じ構成の制御基板であっても、当該制御基板が取り付けられる遊技機の製造者が異なる場合には、それぞれの製造者毎に、その製造者名が刻印された制御基板を用意しなければならない。そこで、特許文献１に開示のように、制御基板に実装可能な電子部品の組み合わせに応じた複数の管理番号を予め刻印しておき、不要な管理番号を消して、実際に実装した電子部品の仕様に合った管理番号を残すことが行われている。これにより特許文献１では、複数の遊技機の機種間で、制御基板の基本的構成の共用化を図っている。
【先行技術文献】
【特許文献】
【０００４】
【特許文献１】特開２００３−３１０９７９号公報
【発明の概要】
【発明が解決しようとする課題】
【０００５】
特許文献１では、共用する機種が増える程、予め刻印しなければならない管理番号の数が多くなって刻印の手間がかかると共に、実際に残される刻印が限られていることから、不要な管理番号を消す手間もかかる。
【０００６】
すなわち本発明は、従来の技術に内在する前記問題に鑑み、これらを好適に解決するべく提案されたものであって、管理情報を制御基板の設置対象に合わせる遊技機用の制御基板の管理方法および遊技機用の制御基板を提供することを目的とする。
【課題を解決するための手段】
【０００７】
前記課題を克服し、所期の目的を達成するため、本願の請求項１に係る発明の遊技機用の制御基板の管理方法は、
遊技機(10)の製造者または販売者に関する情報を少なくとも含む管理情報(100)が基板面(43)に表示された制御基板(42)を、複数の遊技機で共用可能にする管理方法であって、
既存の管理情報(100)の中で、制御基板(42)の設置対象の遊技機(10)に適合しない不適合情報を、レーザーにより削除すると共に、不適合情報に対応した前記設置対象の遊技機(10)に適合する適合情報を、レーザーにより前記基板面(43)に付与し、
前記設置対象の遊技機(10)に適合した管理情報(100)を、前記基板面(43)に表示するようにしたことを要旨とする。
請求項１に係る発明によれば、管理情報における設置対象に適合しない不適合情報を削除すると共に、削除した不適合情報に対応した適合情報だけを基板面に表示するので、管理情報を表示するためのスペースを抑えることができる。また、必要最小限の管理情報を最初に付与すればよく、また管理情報の書き換えに際しても、削除した不適合情報に対応した適合情報を表示するだけ良いので、管理情報の付与に手間がかからない。
【０００８】
請求項２に係る発明では、削除する不適合情報に隣接して、対応した適合情報を付与するようにしたことを要旨とする。
請求項２に係る発明によれば、削除した管理情報に対して、どの管理情報を新たに付与したのかを分かり易くできる。
【０００９】
請求項３に係る発明では、前記制御基板(42)に対して最初に形成される管理情報(100)を、レーザー以外で付与したことを要旨とする。
請求項３に係る発明によれば、最初に表示した管理情報と後から付与した管理情報との区別を付け易くできる。
【００１０】
前記課題を克服し、所期の目的を達成するため、本願の請求項４に係る発明の遊技機用の制御基板は、
遊技機(10)に設置される遊技機用の制御基板であって、
遊技機(10)の製造者または販売者に関する情報を少なくとも含む管理情報(100)が表示された第１表示部(74)と、該第１表示部(74)に表示された管理情報(100)と同種の管理情報をレーザー印刷で表示可能な第２表示部(76)とを基板面(43)に有し、
前記第１表示部(74)に表示された管理情報(100)から設置対象の遊技機(10)に適合しない不適合情報がレーザー印刷で削除されると共に、削除した不適合情報に対応した設置対象の遊技機(10)に適合する適合情報がレーザー印刷で前記第２表示部(76)に表示されるよう構成したことを要旨とする。
請求項４に係る発明によれば、第１表示部と、該第１表示部に表示された管理情報と同種の管理情報をレーザー印刷で表示可能な第２表示部とを有することで、制御基板を設置する遊技機に合わせて、不適合情報を第１表示部から削除して、削除した不適合情報に対応する適合情報を第２表示部に表示することができるので、制御基板の設置対象が広がり、様々な遊技機に設置することができる。
【００１１】
請求項５に係る発明では、前記第２表示部(76)は、前記第１表示部(74)に隣接して設けられたことを要旨とする。
請求項５に係る発明によれば、第１表示部と第２表示部とが隣接しているので、削除した不適合情報と追加した適合情報との対応関係が分かり易い。
【００１２】
請求項６に係る発明では、前記表示部(74,76)は、制御基板(42)を基板ケース(41)に収納して遊技機(10)に設置した状態で、前記基板面(43)を覆う該基板ケース(41)を介して該表示部(74,76)に表示された管理情報(100)が外方から視認可能な位置に設けられたことを要旨とする。
請求項６に係る発明によれば、制御基板を基板ケースから取り出したり、制御基板を遊技機から取り外したりすることなく、制御基板の基板面に表示された管理情報を確認することができる。
【００１３】
請求項７に係る発明では、前記基板面(43)には、該基板面(43)に実装された電子部品(70)に隣接して、該電子部品(70)に対応する部品情報(110)が表示され、
前記管理情報(100)は、前記部品情報(110)と異なる色で表示されることを要旨とする。
請求項７に係る発明によれば、管理情報と部品情報とを区別し易くできる。
【発明の効果】
【００１４】
本発明によれば、管理情報を制御基板の設置対象の遊技機に適合させる際に、管理情報の付与にかかる手間を抑えることができると共に、同じ制御基板を様々な遊技機に簡単に設置することができる。
【図面の簡単な説明】
【００１５】
【図１】本発明の実施例に係るパチンコ機の正面図である。
【図２】実施例のパチンコ機の背面図である。
【図３】実施例のパチンコ機の制御ブロック図である。
【図４】実施例の基板ケースの背面図である。
【図５】図４のＡ−Ａ線断面図である。
【図６】実施例の基板ケースを分解して示す概略斜視図である。
【図７】実施例の主制御基板を示す概略背面図である。
【図８】実施例の表示部を示す説明図であり、(ａ)はパチンコ機に適合する管理情報が表示された状態を示し、(ｂ)は最初に形成された管理情報を示す。
【発明を実施するための形態】
【００１６】
次に、本発明に係る遊技機用の制御基板の管理方法および遊技機用の制御基板につき、好適な実施例を挙げて、添付図面を参照して以下に説明する。なお、実施例では、制御基板の設置対象の遊技機として、遊技球としてパチンコ球を用いて遊技を行うパチンコ機を例に挙げる。また、以下の説明において前・後および左・右とは、特に断りのない限り、図１に示すようにパチンコ機を正面側(遊技者側)から見た場合において指称するものとする。
【実施例】
【００１７】
(パチンコ機１０)
図１および図２に示すように、実施例に係るパチンコ機１０は、矩形枠状に形成されて遊技店の図示しない設置枠台に固定される固定枠としての外枠１１の開口前面側に、遊技盤２０が着脱可能に保持された本体枠としての中枠１２が開閉および着脱可能に組み付けられている。また、遊技盤２０の裏側には、各種演出用の図柄を変動表示可能な図柄表示装置が着脱可能に配設されている。中枠１２の前面側には、遊技盤２０を透視保護するガラス板１５を備えた装飾枠としての前枠１４が開閉可能に組み付けられると共に、前枠１４の下方にパチンコ球を貯留する下球皿１６が開閉可能に組み付けられる。そして、前枠１４の下部には、下球皿１６の上側に位置して、パチンコ球を貯留する上球皿１７が組み付けられており、前枠１４の開閉に合わせて上球皿１７も一体的に開閉するよう構成される。また、中枠１２には、下球皿１６の右側に位置するように回動操作可能な操作ハンドル１８が配設されており、該操作ハンドル１８の回動操作によって中枠１２の下部に設けられた打球発射装置２４(図３参照)により上球皿１７に貯留したパチンコ球が遊技盤２０の遊技領域に向けて打ち出されるようになっている。なお、上球皿１７は、前枠１４と別体に形成して中枠１２に対して開閉可能に組み付けるようにしてもよい。
【００１８】
前記前枠１４には、窓口１４ａの外周を囲繞するようランプ装置２６が配設されると共に、上部位置に、音声や効果音を出力可能なスピーカ２８が配設されている。すなわち、ランプ装置２６に設けられたＬＥＤ等の発光体(図示せず)を点灯・点滅したり、スピーカ２８から適宜の音声を出力することで、図柄表示装置１３での図柄変動表示に合わせて発光演出や音声演出を行い得るよう構成される。
【００１９】
(遊技盤２０)
前記遊技盤２０には、遊技領域が前面に設けられるベニヤ板や透明なアクリル板からなる板状本体の後側に配設した裏ユニットとも呼ばれる設置部材２２に、各種図柄を変動表示可能な図柄表示装置１３が配設されている(図２参照)。遊技盤２０には、図柄表示装置１３の表示部に対応する位置に前後に開口する表示開口部(図示せず)が開設され、該表示開口部に所要の装飾を施したセンター役物とも称される装飾部材(図示せず)で表示部を囲うようになっている。また、遊技盤２０の所要位置には、パチンコ球の入賞により図柄表示装置１３の図柄を変動開始させる始動入賞装置や、大当りの発生時に開放する特別入賞装置(何れも図示せず)等が配設されている。また、遊技盤２０の所要位置には、モータやソレノイド等の駆動手段の駆動により動作する可動物を備えた可動演出装置３０(図３参照)や、ＬＥＤ等の発光体(図示せず)の点灯・点滅により発光演出を行う発光装置３２(図３参照)が配設されている。ここで、実施例のパチンコ機１０では、図柄表示装置１３として、液晶画面からなる表示部で各種演出表示を行う液晶タイプが採用されている。なお、図柄表示装置１３としては、液晶タイプに限られるものではなく、ドラム式の図柄表示装置やドットマトリックス式の図柄表示装置等の各種図柄を停止および変動表示可能な従来公知の各種の表示装置を採用し得る。
【００２０】
(パチンコ機１０の制御構成)
図２に示すように、パチンコ機１０の裏側略中央部には、当該パチンコ機１０を全体的に制御する主制御基板４２を備えた主制御装置４０が配設されている。遊技盤２０の後面に着脱可能に配設される図柄表示装置１３の後面には、遊技盤２０に設けられる可動演出装置３０や発光装置３２を制御したり、前枠１４に設けられるランプ装置２６やスピーカ２８などを制御する統括制御基板４６を備えた統括制御装置４４が配設されている。また、図柄表示装置１３の後面には、右側(図２では左側)に偏倚した部位に設置された統括制御装置４４の左側に、図柄表示装置１３を制御する表示制御基板５０を備えた表示制御装置４８が配設されている。更に、中枠１２の下部に設けられた球通出案内部３４の後面には、パチンコ機１０の電源制御を行う電源基板５４を備えた電源装置５２や、打球発射装置２４を制御する発射制御基板５８を備えた発射制御装置５６や、中枠１２に設けられた球通路ユニット３６に配設した球払出装置３８を制御する払出制御基板６２を備えた払出制御装置６０や、外部端末に接続されるインターフェース基板６４などの各種基板が配設されている。なお、前記制御装置４０,４４,４８,５２,５６,６０は、制御基板４２,４６,５０,５４,５８,６２が透明な基板ケース４１,４７,５１,５５,５９,６３に収納され、この基板ケース４１,４７,５１,５５,５９,６３を介して外方から制御基板４２,４６,５０,５４,５８,６２を視認可能に構成される。
【００２１】
前記主制御基板４２では、遊技盤２０に備えた入賞装置の入賞センサ６６(図３参照)などの各種検出センサ(検出手段)からの検出信号などに基づいて各種処理が実行され、その処理結果に応じた各種の制御信号(制御コマンド)が統括制御基板４６に出力されるようになっている。そして、統括制御基板４６は、主制御基板４２が出力した制御信号(制御コマンド)に基づいて、表示制御基板５０を制御すると共に、ランプ装置２６や発光装置３２の点灯・消灯のタイミングや発光強度等を制御し、スピーカ２８からの音声出力のタイミングや大きさ等を制御するよう構成されており、パチンコ機１０で実行される各種遊技演出(図柄変動演出や発光演出、音声演出)を統括的にコントロールし得るようになっている。ここで、表示制御基板５０は、統括制御基板４６から出力された制御信号(制御コマンド)に基づいて、図柄表示装置１３に表示される図柄や背景画像等の図柄変動演出の表示内容を制御するよう構成される。発射制御基板５８は、操作ハンドル１８の回動操作により主制御基板４２から出力された制御信号に基づいて、打球発射装置２４から操作ハンドル１８の回動操作に応じた強さでパチンコ球を遊技盤２０の遊技領域に向けて発射するように制御する。また、払出制御基板６２は、入賞センサ６６の検出信号や上球皿１７に設けられた貸し球ボタン６８の操作信号などにより主制御基板から出力された制御信号に基づいて、球払出装置３８で所定数のパチンコ球を払い出すように制御する。ここで、主制御基板４２、電源基板５４、発射制御基板５８および払出制御基板６２などの不正行為の対象とされ易い制御基板には、該制御基板の設置対象となるパチンコ機１０に適合した管理情報１００が基板面４３に表示される。なお、主制御基板４２、電源基板５４、発射制御基板５８および払出制御基板６２は、パチンコ機１０での遊技実行に必須とされる基板であり、主基板と呼ばれることがある。
【００２２】
(主制御基板４２)
前記管理情報１００が表示された制御基板として、主制御基板４２を挙げて具体的に説明する。なお、主制御基板４２を例示して以下に説明するが、管理情報１００に関する構成は、主制御基板４２以外の電源基板５４、発射制御基板５８、払出制御基板６２、統括制御基板４６などの他の制御基板にも適用可能である。
【００２３】
図６および図７に示すように、前記主制御基板４２には、ＲＯＭやＲＡＭ等のメモリ、ＣＰＵ等の演算装置、トランジスタ、抵抗、ダイオードなどの複数の電子部品７０や、この主制御基板４２に接続する配線のコネクタを着脱可能なソケット(図示せず)などが実装されている。なお、図６および図７では、２つの電子部品７０,７０のみを表示して、実装領域Ｊに実装された他の複数の電子部品を省略している。また、主制御基板４２には、電子部品７０やソケットを電気的に接続する配線パターンが設けられている。そして、主制御基板４２の基板面４３には、電子部品７０や配線パターンが設けられた実装領域Ｊ(図７参照)から外れた領域に表示部７４,７６が設けられ、この表示部７４,７６に該主制御基板４２の設置対象のパチンコ機１０に適合した管理情報１００が表示される。実施例では、左右に長い矩形状に形成された主制御基板４２において、基板面４３の下縁部左側(後面視である図７では下縁部右側)に表示部７４,７６が設けられている。また、後述するように基板ケース４１に収納保持される主制御基板４２には、角隅部の夫々に基板ケース４１に固定するための位置決め孔４２ａが貫通形成される。
【００２４】
前記表示部７４,７６は、主制御基板４２を収納した基板ケース４１をパチンコ機１０の機裏面側に設置した際に、パチンコ機１０の機裏面と反対側である後方に臨む基板面(表側基板面)４３に設けられる。また、表示部７４,７６は、パチンコ機１０に設置した状態で、表側基板面４３の後側が基板ケース４１の透明な後壁面で覆われる。更に、表示部７４,７６は、表側基板面４３において、基板ケース４１における表側基板面４３を覆う後壁面に設けられた機種名等の印刷や、該後壁面に貼り付けられたシールや、該後壁面に形成されたマーク等の模様などの前側に重ならない位置に配置される。すなわち、主制御基板４２は、該主制御基板４２を収納した基板ケース４１をパチンコ機１０の機裏面側に設置した状態で、基板ケース４１を介して後方から表示部７４,７６に表示された管理情報１００を視認可能に構成される。なお、パチンコ機１０の機裏側には、基板ケース４１の後側を覆うリアパック(不図示)が開閉または着脱可能に配設され、透明なリアパックを介して後方から管理情報１００を視認可能に構成してもよく、リアパックを開放した際に管理情報１００が視認可能となる構成でもよい。電子部品７０は、表側基板面４３に実装される。主制御基板４２の表側基板面４３には、少なくとも２つの表示部７４,７６が設けられ、該主制御基板４２に最初に形成される管理情報１００Ａが表示される表示部７４と、最初の管理情報１００Ａが主制御基板４２の設置対象のパチンコ機１０に適合しない場合に、適合した管理情報１００Ｂが表示される別の表示部７６を備える(図７および図８参照)。また、主制御基板４２は、少なくとも表示部７４,７６がレーザー加工可能になっており、レーザーにより既存の管理情報１００Ａを削除したり、レーザーにより適合した管理情報１００Ｂを書き込み可能になっている。
【００２５】
(管理情報１００)
前記管理情報１００は、必須情報として、パチンコ機１０の製造者名１０２(図８参照)または販売者名のうちのいずれか一方を少なくとも含んでおり、製造者名１０２と販売者名との両方を含んでいてもよい。ここで、必須情報は、ひらなが、カタカナ、漢字、アルファベット等の文字や記号、これらの組み合わせによって、当該情報が目視により判別可能な表記形態および大きさで表示される。また、管理情報１００は、前記必須情報だけでなく、必要に応じてその他の任意情報を含んでいてもよい。任意情報としては、主制御基板４２の製造者名、主制御基板４２である旨の種類の表記、主制御基板４２の改訂情報、製造年月日等の日付、基板管理番号１０４(図８参照)等を含ませることが可能である。ここで、任意情報は、必須情報と同様に文字や記号で情報を表しても、バーコード等の一次元コードや、マトリックスあるいはスタック方式の二次元コードなどの、読み取り装置によって読み取る識別子で表してもよい。
【００２６】
前記主制御基板４２に最初に形成される管理情報１００Ｂは、レーザー印刷またはレーザー印刷以外の印刷によって表示される。なお、レーザー印刷以外の印刷としては、例えばシルク印刷などのインクを用いたものが挙げられる。また、主制御基板４２に付された既存の管理情報１００Ａの中で、主制御基板４２の設置対象に適合しない不適合情報は、レーザー印刷により削除され、不適合情報に対応した前記主制御基板４２の設置対象に適合する管理情報１００Ｂが、レーザー印刷により表示される。ここで、管理情報１００の「削除」とは、主制御基板４２が設置されるパチンコ機１０に適合しない不適合情報をレーザーにより削り取ったり、該不適合情報上にレーザーにより取り消しライン１０６(図８参照)を引いたする等、レーザー印刷で不適合情報を判別不能にしたり、あるいは不適合情報が判別できてもレーザー印刷で取り消されていることが分かるように処理することをいう。
【００２７】
実施例の主制御基板４２は、管理情報１００Ａが表示された第１表示部７４と、この第１表示部７４と同種の管理情報１００Ｂをレーザー印刷で表示可能な第２表示部７６とを備え、第１表示部７４の下方に隣接して第２表示部７６が設けられている(図７参照)。主制御基板４２は、第１表示部７４に表示された管理情報１００Ａが設置対象のパチンコ機１０に適合しない場合に、第１表示部７４に表示された管理情報１００Ａから設置対象のパチンコ機１０に適合しない不適合情報がレーザー印刷で削除されると共に、削除した不適合情報に対応した設置対象のパチンコ機１０に適合する管理情報１００Ｂがレーザー印刷で第２表示部７６に表示されるよう構成される(図８参照)。
【００２８】
ここで、第１表示部７４に最初に形成される管理情報１００Ａと、第１表示部７４の管理情報１００Ａがパチンコ機１０に適合しない場合に当該パチンコ機１０に合わせて第２表示部７６に形成される管理情報１００Ｂとは、互いに色を変えたり、互いのフォントを変えたり、印刷方法を変えることなど、互いの態様を変えることによって、削除した不適合情報と適合情報とが区別し易くなっている。実施例の主制御基板４２は、第１表示部７４に対して最初(例えば主制御基板４２の製造時)に形成される管理情報１００Ａがシルク印刷により白色で形成されており、レーザー印刷により第２表示部７６に形成される管理情報１００Ｂが黄色で形成され、第２表示部７６に表示される管理情報１００Ｂと最初の管理情報１００Ａとが色違いにされる。また、第１表示部７４の管理情報１００Ａの不適合情報は、該不適合情報上に延在するよう形成された２本の取り消しライン１０６によって削除され、この取り消しライン１０６も適合情報と同じ黄色で形成されて、取り消しライン１０６と最初の管理情報１００Ａとが色違いにされる。
【００２９】
また、表示部７４,７６に表示される管理情報１００は、主制御基板４２の表側基板面４３において、各電子部品７０に隣接して表示される部品情報１１０と異なる色で表示される。部品情報１１０は、主制御基板４２に実装される電子部品７０の管理のために、電子部品７０毎に対応して表示される情報であって、例えば、「ＩＣ０１」や「ＣＮ０５」や「Ｒ１０」など、電子部品７０の種類を示すアルファベットと数字との組み合わせが用いられる。実施例の部品情報１１０は、表側基板面４３にシルク印刷によって黒色で形成され、白色で形成される第１表示部７４の管理情報と色が異なると共に、黄色で形成される第２表示部７６の管理情報１００Ｂと色が異なっている。
【００３０】
実施例の第１表示部７４には、管理情報１００Ａとして横書きの製造者名(図８の「△△△」)１０２Ａおよび横書きの基板管理番号(図８の「ＸＸ−２０１２」)１０４Ａが上下の関係で並べて表示される。そして、第１表示部７４の管理情報１００Ａは、主制御基板４２の設置対象のパチンコ機１０に適合していない製造者名１０２Ａおよび基板管理番号１０４Ａの夫々が取り消しライン１０６によって削除されている。第１表示部７４の下方に設けられた第２表示部７６には、主制御基板４２の設置対象のパチンコ機１０に適合した管理情報１００Ｂとして、横書きの製造者名(図８(ａ)の「○○○」)１０２Ｂおよび横書きの基板管理番号(図８(ａ)の「ＹＹ−２０１２」)１０４Ｂが上下の関係で並べて表示されている。第２表示部７６に付与される管理情報１００Ｂは、製造者名１０２や基板管理番号１０４等の項目の表記向きや項目の並び順や該第２表示部７６内での配置などが、第１表示部７４に最初に形成される管理情報１００Ａと対応するよう構成される。すなわち、削除する不適合情報が横書きであれば、この不適合情報に対応して付加する適合情報も横書きにされる。また、削除する不適合情報が複数項目ある場合に、既存の管理情報１００Ａの中で上側に並ぶ不適合情報に対応して付加される適合情報は、新たな管理情報１００Ｂの中で上側に配置され、既存の管理情報１００Ａの中で下側に並ぶ不適合情報に対応して付加される適合情報は、新たな管理情報１００Ｂの中で下側に配置される。これにより、第１表示部７４の削除された管理情報１００Ａの項目と第２表示部７６に付加された管理情報１００Ｂの項目との対応関係が、判り易くなっている。
【００３１】
(基板ケース４１)
図４〜図６に示すように、主制御装置４０は、主制御基板４２を基板ケース４１に収納して構成される。基板ケース４１は、設置部材２２側に配置されるベース部材８０と、このベース部材８０の後側に組付けられるカバー部材８４とから基本的に構成され、ベース部材８０とカバー部材８４との間に画成される収納空間４１ａに主制御基板４２が収納される。ベース部材８０およびカバー部材８４は、何れも透明な合成樹脂成形品であって、基板ケース４１の外方から収納空間４１ａに収納保持された主制御基板４２を透視可能になっている。基板ケース４１は、カバー部材８４の内側に突出形成された位置決めボス８５を主制御基板４２の位置決め孔４２ａに嵌合すると共に、位置決めボス８５とベース部材８０の内側に突出形成された位置決めリブ８１との間に挟んで、主制御基板４２を収納空間４１ａに位置決めするよう構成される(図５参照)。基板ケース４１は、ベース部材８０の左側縁に突出形成された突片８２をカバー部材８４の左壁に形成された挿通孔(図示せず)に挿入すると共に、ベース部材８０の右側縁に形成されたベース側カシメ部８３とカバー部材８４の右側縁に形成されたカバー側カシメ部８６とを、締結方向にしか回転操作できないワンウェイネジ８８により締結することで、両カシメ部８３,８６が分離不能に固定される(図６参照)。すなわち、ベース側カシメ部８３とカバー側カシメ部８６とをワンウェイネジ８８で一旦締結すると、両カシメ部８３,８６を破壊しなければ、ベース部材８０とカバー部材８４とを分離することができず、両者８０,８４の不正開放を非常に困難にしている。なお、カバー部材８４には、主制御基板４２のソケット(図示せず)に対応してソケット開口８４ａが開設され、該ソケット開口８４ａを介して基板ケース４１の外側に臨むソケットに配線のコネクタ(図示せず)が接続される。
【００３２】
(基板ケース４１の取り付け構造)
前記基板ケース４１の設置部材２２への取付構造について簡単に説明する。基板ケース４１は、ベース部材８０の左側縁に設けられ、設置部材２２の後面に設けた受部(図示せず)に引っ掛ける爪部(図示せず)と、カバー部材８４の右側縁上部に設けられ、設置部材２２の後面に設けた位置決めピン(図示せず)が挿通される位置決め孔が形成された取付部８４ｂ(図４参照)と、左側縁中央部に設けた固定部８４ｃ(図４参照)とを備えている。固定部８４ｃには、ナイラッチ等の取着具８９が装着される。そして、基板ケース４１は、設置部材２２の受部に爪部を引っ掛けると共に、設置部材２２の位置決めピンを取付部８４ｂの位置決め孔に挿入したもとで、固定部８４ｃに装着された取着具８９を設置部材２２に設けた図示しない保持孔に係合することで、設置部材２２に対して着脱可能に組み付けられる(図２参照)。
【００３３】
次に、管理情報１００が基板面４３に表示された前述の主制御基板４２を、複数のパチンコ機１０で共用可能にする管理方法について説明する。主制御基板４２には、表側基板面４３に設けられた第１表示部７４に対し、該主制御基板４２の製造時にシルク印刷により製造者名１０２Ａと基板管理番号１０４Ａからなる最初の管理情報１００Ａが形成される(図８(ｂ)参照)。ここで、第１表示部７４には、横書きの製造者名「△△△」と基板管理番号「ＸＸ−２０１２」とが上下の関係で並べて形成されると共に、表側基板面４３に表示される黒色の部品情報１１０と異なる白色で管理情報１００Ａが形成される。ここで、最初の管理情報１００Ａだけが表示された主制御基板４２は、製造者「○○○」が製造すると共に主制御基板４２を基板管理番号「ＹＹ−２０１２」で管理する前記パチンコ機１０には用いることはできない。なお、第１表示部７４に表示された管理情報１００Ａに適合した、製造者「△△△」が製造すると共に当該主制御基板４２を基板管理番号「ＸＸ−２０１２」で管理する別のパチンコ機には用いることができる。
【００３４】
前記別のパチンコ機に適合した管理情報１００が表示された主制御基板４２を、製造者「○○○」が製造すると共に主制御基板４２を基板管理番号「ＹＹ−２０１２」で管理する前記パチンコ機１０に用いる場合は、主制御基板４２の第１表示部７４に付された既存の管理情報１００Ａの中で、前記パチンコ機１０に適合しない不適合情報をレーザーにより削除する。実施例では、第１表示部７４に付された製造者名１０２Ａおよび基板管理番号１０４Ｂの両方が、前記パチンコ機１０に適合していないので、第１表示部７４の製造者名１０２Ａおよび基板管理番号１０４Ａ上にレーザーにより取り消しライン１０６が夫々引かれる。そして、削除した不適合情報に対応した前記パチンコ機１０に適合する適合情報を、レーザーにより第２表示部７６に付与する。具体的には、第１表示部７４に付された製造者名「△△△」の削除に対応して、前記パチンコ機１０に適合する製造者名「○○○」を第２表示部７６にレーザーにより書き加えると共に、第１表示部７４に付された基板管理番号「ＸＸ−２０１２」の削除に対応して、前記パチンコ機１０に適合する基板管理番号「ＹＹ−２０１２」を第２表示部７６にレーザーにより書き加える(図８(ａ)参照)。これにより、主制御基板４２は、前記別のパチンコ機用の管理情報１００Ａが削除されると共に、前記パチンコ機１０に適合した管理情報１００Ｂが表示されるので、第２表示部７６に表示された管理情報１００Ｂに適合した、製造者「○○○」が製造すると共に当該主制御基板４２を基板管理番号「ＹＹ−２０１２」で管理する前記パチンコ機１０に用いることができる。
【００３５】
ここで、新たに付与される適合情報は、削除する不適合情報に隣接して形成される。すなわち、第１表示部７４において上側に表示された不適合情報(製造者名１０２Ａ)に対応した適合情報(製造者名１０２Ｂ)は、第２表示部７６において上側に表示し、第１表示部７４において下側に表示された不適合情報(基板管理番号１０４Ａ)に対応した適合情報(基板管理番号１０４Ｂ)は、第２表示部７６において下側に表示する。このように、削除する不適合情報に対応した適合情報は、複数項目の管理情報１００の中での位置関係や表記順序などの対応関係が崩れないように書き込まれる。更に、第２表示部７６にレーザーにより付与される適合情報は、第１表示部７４に表示された既存の管理情報１００Ａと異なる色(実施例では黄色)で形成されると共に、不適合情報を削除する取り消しライン１０６が既存の管理情報１００Ａと異なる色(実施例では黄色)で形成される。そして、実施例では、主制御基板４２に最初に形成される管理情報１００Ａがシルク印刷により付与される一方、不適合情報の削除および適合情報の付与がレーザーにより行われる。なお、不適合情報の削除および適合情報の付与の順序は、どちらを先に行ってもよい。
【００３６】
前記管理方法によれば、２社の製造者等で主制御基板４２で共用するだけでなく、不適合情報の削除と適合情報の付与とを行って管理情報１００を該主制御基板４２の設置対象のパチンコ機１０に適合させることで、３社以上の製造者等で主制御基板４２の共用化を図ることができる。前記別のパチンコ機に適合した管理情報１００Ａを削除して、管理情報１００Ｂを前記パチンコ機１０に適合させた主制御基板４２を、製造者「□□□」が製造すると共に主制御基板４２を基板管理番号「ＺＺ−２０１２」で管理する更に別のパチンコ機との間で共用する場合は、既存の管理情報１００の中で、更に別のパチンコ機に適合しない不適合情報をレーザーにより削除する。すなわち、第２表示部７６に付された製造者名１０２Ｂおよび基板管理番号１０４Ｂの両方が、更に別のパチンコ機に適合していないので、製造者名１０２Ｂおよび基板管理番号１０４Ｂ上にレーザーにより取り消しライン１０６が夫々引かれる。削除した不適合情報に対応した更に別のパチンコ機に適合する適合情報を、レーザーにより第３表示部に付与する。これにより、主制御基板４２は、前記パチンコ機１０の管理情報１００Ｂが削除されると共に、更に別のパチンコ機に適合した管理情報が表示されるので、第３表示部に表示された管理情報に適合した、製造者「□□□」が製造すると共に当該主制御基板４２を基板管理番号「ＺＺ−２０１２」で管理する更に別のパチンコ機に用いることができる。
【００３７】
(実施例の作用)
このように、主制御基板４２は、第１表示部７４と、該第１表示部７４に表示された管理情報１００Ａと同種の管理情報１００Ｂをレーザー印刷で表示可能な第２表示部７６とを有することで、主制御基板４２を設置するパチンコ機１０に合わせて、不適合情報を第１表示部７４から削除して、削除した不適合情報に対応する適合情報を第２表示部７６に表示することができるので、主制御基板４２の設置対象が広がり、様々なパチンコ機に該主制御基板４２を設置することができる。すなわち、管理情報１００における不適合情報を削除して適合情報を表示するだけで、同じ主制御基板４２を様々なパチンコ機に簡単に設置することができ、複数のパチンコ機の間で主制御基板４２を共用することで、コストの低減を図ることができる。
【００３８】
そして、既存の管理情報１００Ａの中で、主制御基板４２の設置対象のパチンコ機１０に適合しない不適合情報だけを削除し、削除した不適合情報に対応した適合情報だけを第２表示部７６に表示するので、新たに付与する管理情報１００Ｂを最小限に抑えることができる。これにより、複数のパチンコ機の間で主制御基板４２を共用しても、管理情報１００を表示するためのスペースを抑えることができ、主制御基板４２の大型化を回避し得る。また、共用する複数のパチンコ機に合わせて複数の管理情報１００を基板面４３に形成するのではなく、必要最小限の管理情報１００を最初に付与すればよく、また管理情報１００の書き換えに際しても、削除した不適合情報に対応した適合情報を表示するだけので、最初に管理情報１００Ａを形成する際および設置対象に適合させた管理情報１００Ｂを形成する際の両方において、管理情報１００の付与に手間がかからない。ここで、管理情報１００の付与にレーザー印刷を用いることで、第三者が同じように削除や書き換えを行うことを困難にでき、レーザー印刷以外の態様で管理情報１００の削除や書き換えを行った際には、管理情報１００の不正な改ざんを判別し易い。
【００３９】
また、主制御基板４２には、第１表示部７４に隣接して第２表示部７６が設けられると共に、第１表示部７４に表示された管理情報１００Ａに対応する関係で、隣接する第２表示部７６にパチンコ機１０に適合する管理情報１００Ｂを表示するので、削除した不適合情報に対して、どの適合情報を新たに付与したのかを分かり易くできる。すなわち、第２表示部７６に表示された管理情報１００Ｂは、削除した第１表示部７４の管理情報１００Ａに隣接して形成することで、管理情報１００Ｂが書き換えられたものであることが分かり易い。しかも、適合情報が削除した不適合情報と同じ横書きで、かつ製造者名１０２Ｂと基板管理番号１０４Ｂとの位置関係が不適合情報と同じになっている。これにより、削除した製造者名１０２Ａに対応してパチンコ機１０に適合した製造者名１０２Ｂが表示されると共に、削除した基板管理番号１０４Ａに対応してパチンコ機１０に適合した基板管理番号１０４Ｂが表示されたことが、一見して判別することができる。
【００４０】
前記主制御基板４２に対して最初に表示される管理情報１００Ａを、シルク印刷で形成する一方、当該管理情報１００Ａがパチンコ機１０に適合しない場合に付与される該パチンコ機１０に適合した管理情報１００Ｂがレーザー印刷で形成する。すなわち、パチンコ機１０において不適合情報となる最初の管理情報１００Ａと適合する管理情報１００Ｂとを、印刷態様の違いによって区別し易くすることができる。しかも、最初の管理情報１００Ａを、レーザー印刷と比べて処理効率がよいシルク印刷等のインク印刷を形成することで、複数のパチンコ機で共用する際の基本となる主制御基板４２を効率よく製造することができる。また、管理情報１００は、電子部品７０に隣接して表示された部品情報１１０と異なる色で表示されるので、部品情報１００との混同を防止でき、管理情報１００と部品情報１１０とを区別し易くなる。
【００４１】
前記表示部７４,７６に表示された管理情報１００は、主制御基板４２を基板ケース４１に収納してパチンコ機１０に設置した状態で、基板ケース４１の後壁面の印刷等に邪魔されることなく、基板ケース４１の透明な後壁面を介して後方から視認することができる。すなわち、管理情報１００を確認する際に、基板ケース４１をパチンコ機１０から取り外したり、主制御基板４２を基板ケース４１から取り出したりする必要はなく、管理情報の確認作業を容易に行い得る。
【００４２】
(変更例)
なお、遊技機の構成としては、前述した実施例に示したものに限らず、種々の変更が可能である。
(１)管理情報１００は、横書きに限られず、縦書き等のその他の判別可能な表記形態を選択できる。また、不適合情報に対して上下の位置関係で適合情報を配置するのではなく、不適合情報に対して、左右の位置関係で適合情報を配置してもよい。更に、不適合情報に隣接して適合情報を表示することに限られず、不適合情報から離間した位置に適合情報を表示してもよい。
(２)実施例では、第１表示部７４に表示された管理情報１００の全ての項目を削除する例を説明したが、第１表示部７４に表示された管理情報１００の中に設置対象に適合する適合情報があれば、この適合情報は削除されない。
(３)表示部７４,７６を設ける位置は、制御基板の縁部に限られず、中央部であってもよい。
(４)管理情報１００を制御基板４２をパチンコ機１０に取り付けた状態で外方から視認可能な表側基板面４３に形成する例を説明したが、パチンコ機１０側の基板面に管理情報を形成してもよい。
(５)第１表示部７４に表示される管理情報１００Ａおよび第２表示部７６に表示される管理情報１００Ｂの何れか一方を、部品情報と異なる色にしてもよい。この際、遊技機１０に適合した管理情報１００を部品情報と異なる色にするのが好ましい。
(６)４以上の遊技機間において制御基板を共用してもよい。
(７)実施例では、遊技機としてパチンコ機１０を例示して説明したが、これに限られるものではなく、アレンジボール機やピンボール機、スロットマシン機等の各種遊技機に用いられる制御基板およびその管理に採用し得る。
【符号の説明】
【００４３】
１０ パチンコ機(遊技機)
４１ 基板ケース
４２ 主制御基板(制御基板)
４３ 表側基板面(基板面)
７４ 第１表示部
７６ 第２表示部
１００ 管理情報
１１０ 部品情報
【図１】
2014068823.tif 000003
【図２】
2014068823.tif 000004
【図３】
2014068823.tif 000005
【図４】
2014068823.tif 000006
【図５】
2014068823.tif 000007
【図６】
2014068823.tif 000008
【図７】
2014068823.tif 000009
【図８】
2014068823.tif 000010